(57)【要約】【課題】  パターの練習時においてホールまでの距離や方向を確認しながらスタンスの位置を決め、人工芝シートを左右に摺動することでフックライン、スライスラインの練習が簡単な操作で行えることができるパター練習具を提供するものである。【解決手段】  人工芝材を敷設したホール付の基台本体の傾斜板に人工芝材を貼っていない略半円形状の接合面部を設け、該接合面部の形状に符合する略半円形状に裁断してなる人工芝シートの端部の裏面に留め部を突設した薄板を粘着固定して、該留め部を前記の接合面部に施してある受部に取付け、該人工芝シートが左右に摺動自在になるように装着してあり、簡単な操作で好みのラインでのパター練習ができるようにしてある。【選択図】  図２
2006271911.tif 000002
【特許請求の範囲】
【請求項１】
傾斜面を有する基台の中央にホールを穿設した回転板を載置し、該回転板上とその周辺面に人工芝材を敷設してなる矩形の基台本体において、該基台本体の傾斜面に人工芝材を敷設していない略半円形状の接合面部に受部を施し、長方形状の人工芝シートの端部を略半円形状に裁断してあり、該端部の裏面には留め部を突設した薄板を貼着固定して、略半円形状に裁断した人工芝シートの端部を前記の接合面部に符合するように密接させ、該人工芝シート端部の裏面の留め部を前記受部に取付け左右に摺動自在になるように装着してなることを特徴としたゴルフパター練習具である。
【発明の詳細な説明】
【技術分野】
【０００１】  この発明は、ゴルフのパター練習に使用するものであり、移動する回転板に設けたホールに向かって人工芝シートが左右に摺動自在に操作できようにすることで、ボールの転がりの変化を確認しながら練習ができるゴルフパター練習具である。
【背景技術】
【０００２】  この発明は、家庭などで比較的に狭いスペースでも使用でき、ボールの転がり方向など確認しながら変化に富んだ練習ができるパターの練習具である。
既存のこれらの練習具は、家庭などの狭い場所で練習が行えるものと、広い場所が必要とするゲーム性のあるパターの練習具が開発されている。【０００３】  広い場所を必要とする練習具においては、ホールを設けた円形状のマットとこの円形状マットの円周形状に合わせる形状に裁断した人工芝状マットが全周縁のどの位置にでも接合できるパターマットに組み合わせて全方位で複数人によるプレーができる練習具が提案されている。【０００４】  また、家庭で手軽に練習をするパターの練習具においては、傾斜面を設けた基台に２ｍ乃至３ｍ程度の長さの人工芝状マットを敷設したもの、人工芝状マットをユニットにしてその組み合わせでホールまでの方向を変更しながらパターの練習を行うものや、ホール付近の傾斜角度を左右に調整できるようにした練習具などが提案されている。
【特許文献１】  実開昭５７−５２６１号
【特許文献２】  実開昭６０−６９１６１号
【発明の開示】
【発明が解決しようとする課題】
【０００５】  従来のパターの練習具において、ホールに向かってストレートライン、フックライン、スライスラインなどの練習をするためにホールまでの傾斜角度が調整できるように工夫した人工芝のアンジュレーションの練習具は、機構が複雑で調整操作が面倒だったり、組み立てるのに時間を要したり手間のかかるものもあった。【０００６】  スタンス位置から見て、ホールの位置と方向を変更するために人工芝をユニット式にして各人工芝マットの方向を変えて連結する練習具の内で、２枚以上で人工芝パーツを組み合わせるものにおいては、その都度人工芝マットの方向を組み合わせすることになり移動する作業が面倒であった。【０００７】  簡単にホール位置や方向が変更できるものとして例えば、実開昭６０−６９１６１号はホールにゴルフボールが入るとオルゴールが奏でられる装置を設け、円錐形状ホール部の表面に芝目方向を異にした人工芝を貼着して半円形状端部を有するマット部を接続したものであるが、このゴルフ練習器はゲームを楽しめ目的で開発しているため広い場所が必要であり、マット部を全方位的に接続できても個人用の練習具としては使いづらく、マット部と円錐形ホール部の地上接触面が固定されていないので接続位置が固定できず、接触面がずれたり離れたりする虞があった。【０００８】  この発明は、これら問題点を改善しパターの練習時にホール位置までの目標とするラインを簡単に変えることができるパター練習具を提供するものである。
【発明が解決するための手段】
【０００９】  前述した課題を達成するために、この発明は傾斜面を有する基台の中央にホールを穿設した回転板を載置し、該回転板上とその周辺面に人工芝材を敷設してなる矩形の基台本体において、該基台本体の傾斜面に人工芝材を敷設していない略半円形状の接合面部に受部を施し、長方形状の人工芝シートの端部を略半円形状に裁断してあり、該端部の裏面には留め部を突設した薄板を貼着固定して、略半円形状に裁断した人工芝シートの端部を前記の接合面部に符合するように密接させ、該人工芝シート端部の裏面の留め部を前記受部に取付け左右に摺動自在になるように装着してなることを特徴としたゴルフパター練習具である。
【発明の効果】
【００１０】  全体形状が矩形の基台本体は、平坦面に載置した円形の回転板を手動で回転できるように装備してあるから該回転板の穿設したホールの位置を３６０度の移動が可能なので練習したいラインの方向にホールを移動させて練習が行える。
ホールに入ったゴルフボールは、下方の収納部に落ちて排出部を通り開放口から出るようにしてあり、ホールに入らなかったボールも平面から見てＬ字状に囲った案内溝から開放口に出るようにしたのでボールが集め易い効果が得られる。
【００１１】  基台本体に敷設する人工芝材の素材を回転板に貼るものと平坦面に貼る素材を変えることでも複雑なラインの練習が得られるが、該傾斜面に人工芝材を敷設していない略半円形状の接合面部に略半円形状に裁断した人工芝シートの端部を符合するように密接させて摺動自在に装着することで、基台本体または人工芝シートを左右に方向を変えて練習が行えるからより一層複雑なフックライン、スライスラインなどの練習効果が期待できる。
【００１２】  人工芝シートの端部の裏面に薄板を設けているので基台本体または人工芝シートの摺動は容易であり、該薄板の突設した留め部を基台本体の傾斜面にある接合面部に施した受部に取付けることで回動軸の役目をして人工芝シートを左右に摺動しても基台本体から人工芝シートが外れる心配もない。
【発明を実施するための最良の形態】
【００１３】  図面に基づいてこの発明に係るゴルフパター練習具についての最良の形態を詳細に説明する。
合成樹脂の素材で成形した基台９には平坦面１７と傾斜面１５を形成し、縦横の側面にＬ字状の案内溝１２を設け開放口１６でボールが集まるようにしてあり、該平坦面１７の中央にホール１０を穿設した円形の回転板６を排出部１８に連通する収納部上に載置する。【００１４】  該平坦面１７と回転板６上に人工芝材を貼り、緩やかに成形した該傾斜面１５には略半円形状の人工芝材のない接合面部１３を形成し、該接合面部１３の半径の位置には受部１４を施して基台本体Ｂを得る。
該基台本体Ｂは、幅が３０ｃｍ乃至４５ｃｍ程度で長さが５０ｃｍ乃至６０ｃｍの寸法とし、Ｌ字状の案内溝１２は傾斜面１５の端面と同じ長さにしてある。【００１５】  該基台本体Ｂに繋ぐ人工芝材１１の長さは２ｍ乃至３ｍにしてあり、該基台本体Ｂに繋ぐ側の人工芝シート１１の端部５を略半円形状に裁断し、該端部５の裏面には前記の接合面部１３に符合する形状の薄板７を貼着固定する。
該薄板７は略半円形状にして該接合面部１３に合う形状にしたので該端部５は隙間のない状態に人工芝シート１１を繋ぐことができる。【００１６】  また、該端部５の裏面にある薄板７に突設した留め部８は、該接合面部１３の受部１４に取付けて摺動できる位置に設けてあるので、人工芝シート１１を左右に移動しても賂半円形状に裁断した該端部５は円滑に動き、パターの練習後においては、該薄板７の留め部８を該接合面部１３の受部１４から取り外して人工芝シート１１を片付けることができる。
【実施例１】
【００１７】  人工芝材を敷設した基台本体Ｂにある平坦部１７の任意の場所に少なくとも１箇所にホール１０を設け、傾斜面１５に人工芝材を敷設していない略半円形状の接合面部１３を形成し、該接合面部１３の半径の位置には雌部１４を埋設し、該接合面部１３に符合する形状に裁断した人工芝シート１１の端部５の裏面には薄板７を接着固定してあり、該薄板７には牡部８を固定してある。【００１８】  略半円形状に裁断した人工芝シート１１の端部５を人工芝材のない該接合面部１３に符合するように密接させた後、前記の牡部８を該接合面部１３の雌部１４に嵌めることでゴルフパター練習具Ａが得られる。【００１９】  この実施例のゴルフパター練習具Ａで練習を行う場合は、ホールの位置を確認しながらスタンスを決め、人工芝シート１１を基台本体Ｂに向かって直線状態にして通常のパター練習を行い、ある程度慣れたきた段階で人工芝シート１１を右または左に方向を変えながら練習を行うことができるから、フックラインやスライスラインなど変化に富む練習効果が得られる。【００２０】  人工芝シート１１が摺動する角度は左右にそれぞれ１０度程度まで変えることができるようにしているが、方向を変える際に人工芝シート１１を持って多少強く引っ張っても牡雌部のホック止め作用で接合面部１３から人工芝シート１１が外れる心配もなく、薄板７を設けたことで左右の摺動がスムーズとなって細かい角度調整が容易であり、繰り返して集中したパターの練習ができる。【００２１】  この実施例による基台本体Ｂにはホールに入ったボールやホールに入らなかったボールを誘導するＬ字状に囲った案内溝を設けていないが、図３に示すように回動軸の役目をする留め部と受部は一体成型であってもフックボタンのような別部品を用いても摺動機能が同じであれば良く、できる限り安価に製造できることが望まれる。【００２２】  基台本体はアンジュレーションの練習ができるものでも良く、人工芝材を貼っていない接合面部の形状においても半円形状の向きを逆さにすることもでき、その場合の人工芝シート端部の裁断は半円形状に切り込んだ形状に設けることで密接した状態で基台本体と繋げたパター練習具が得られる。
【図面の簡単な説明】
【００２３】
【図１】  この発明に係る基台本体に人工芝シートを密接させた状態を示す全体斜視図。
【図２】  この発明に係る基台本体に人工芝シートを接合する状態を示す全体斜視図。
【図３】  基台本体傾斜面の接合面部の接合状態を示す一部断面拡大図。
【符号の説明】
【００２４】５  端部
７  薄板
８  留め部
９  基台
１１  人工芝シート
１３  接合面部
１４  受部
１５  傾斜面
１７  平坦面
Ａ  パター練習具
Ｂ  基台本体
【図１】
2006271911.tif 000003
【図２】
2006271911.tif 000004
【図３】
2006271911.tif 000005